(57)【特許請求の範囲】
【請求項１】
開口窓を有する筐体と、該筐体に納められて受光量に応じた電気出力を行う赤外線受光素子と、該赤外線受光素子に焦点を有する複数の検知エリアを形成するための複数のレンズ系を具備するレンズブロックとを備える防犯センサの検知エリア数可変方法であって、前記赤外線受光素子と前記レンズブロックとを一体化して赤外線受光ブロックとなし、該赤外線受光ブロックを前記筐体の開口窓に対して出没自在になしたことを特徴とする検知エリア数可変方法。
【請求項２】
開口窓を有する筐体と、該筐体に納められて受光量に応じた電気出力を行う赤外線受光素子と、該赤外線受光素子に焦点を有する複数の検知エリアを形成するための複数のレンズ系を具備するレンズブロックとを備える防犯センサであって、前記赤外線受光素子と前記レンズブロックとを一体化した赤外線受光ブロックと、該赤外線受光ブロックを前記筐体の開口窓に対して出没せしめて検知エリア数を増減する検知エリア数調節部とを設けたことを特徴とする防犯センサ。
【発明の詳細な説明】
【０００１】
【発明の属する技術分野】
本発明は検知エリア数を増減可能な検知エリア数可変方法およびその防犯センサに関する。
【０００２】
【従来の技術】
従来から、受光量に応じた電気出力を行う焦電素子などからなる赤外線受光素子と、該赤外線受光素子に焦点を有する複数の検知エリアを形成するための複数のレンズ系を具備するレンズブロックとを備え、１台で複数のビーム状の検知エリアを有する防犯センサは知られている。
【０００３】
【発明が解決しようとする課題】
しかしながら、従来の防犯センサにあっては、レンズブロックは筐体に固定されていて、検知ビームの増減ができなかった。そのため、防犯センサの施工後に検知エリア数を増加したい場合にあっては、対応することができず、防犯センサを増設するしかなく、使い勝手の悪いものであるという問題点があった。
【０００４】
本発明は上記の問題点を解決するためになされたもので、その目的とするところは、施工後であっても簡単に検知エリアの数を増減できる、使い勝手に優れる、検知エリア数可変方法およびその防犯センサを提供することにある。
【０００５】
【課題を解決するための手段】
本発明は上記の問題点を解決するため、請求項１記載の発明にあっては、開口窓を有する筐体と、該筐体に納められて受光量に応じた電気出力を行う赤外線受光素子と、該赤外線受光素子に焦点を有する複数の検知エリアを形成するための複数のレンズ系を具備するレンズブロックとを備える防犯センサの検知エリア数可変方法であって、前記赤外線受光素子と前記レンズブロックとを一体化して赤外線受光ブロックとなし、該赤外線受光ブロックを前記筐体の開口窓に対して出没自在になしたことを特徴とする。
【０００６】
請求項２記載の発明にあっては、開口窓を有する筐体と、該筐体に納められて受光量に応じた電気出力を行う赤外線受光素子と、該赤外線受光素子に焦点を有する複数の検知エリアを形成するための複数のレンズ系を具備するレンズブロックとを備える防犯センサであって、前記赤外線受光素子と前記レンズブロックとを一体化した赤外線受光ブロックと、該赤外線受光ブロックを前記筐体の開口窓に対して出没せしめて検知エリア数を増減する検知エリア数調節部とを設けたことを特徴とする。
【０００７】
【発明の実施の形態】
以下、本発明に係る検知エリア数可変方法およびその防犯センサの一実施の形態を図１および図２に基づいて詳細に説明する。図１は防犯センサの検知エリア数を多くした場合を示す説明図であり、図１（ａ）は防犯センサを示す側面図、図１（ｂ）は検知エリアを示す側面図である。図２は防犯センサの検知エリア数を少なくした場合を示す説明図であり、図２（ａ）は防犯センサを示す側面図、図１（ｂ）は検知エリアを示す側面図である。なお、図１および図２において、（）書きの符号は、手前の方向からは見えない側のレンズ系および検知エリアを示している。
【０００８】
図１または図２に示すように、この防犯センサは筐体１を備える。筐体１は、天井や壁面などに取着される遮光性合成樹脂製の矩形箱状のもので、開口窓１０を備える。この開口窓１０には、螺着などの技術で構成される検知エリア数調節部３を介して、赤外線受光ブロック２が出没自在に設けられる。赤外線受光ブロック２は、赤外線受光素子ＡとレンズブロックＢとを一体化したものである。赤外線受光素子Ａとしては、赤外線を受けて温度変化率に応じた起電圧を生ずる焦電素子などが用いられる。
【０００９】
レンズブロックＢは、赤外線は透過するものの肉眼では内部を見通すことのできないポリエチレン樹脂製の略ドーム状のもので、複数のレンズ系Ｂ１，…Ｂ１２を備える。レンズ系Ｂ１，…Ｂ１２は、薄型軽量化を図るために、それぞれフレネルレンズとされている。また、各レンズ系Ｂ１，…Ｂ１２は、赤外線受光素子Ａを通る光軸をそれぞれ有するとともに、赤外線受光素子Ａ上に焦点を結ぶように配設されている。従って、各レンズ系Ｂ１，…Ｂ１２は、各レンズ系Ｂ１，…Ｂ１２の光軸に沿って、各独立のビーム状の検知エリアＣ１，…Ｃ１２を形成する。なお、この防犯センサのレンズブロックＢにあっては、ドーム状の略半球面状の部分にはレンズ系Ｂ１，…Ｂ４  が形成され、略円筒状の部分にはレンズ系Ｂ５，…Ｂ１２が形成されている。
【００１０】
上述のように構成される防犯センサにあっては、次のようにして検知エリア数の増減がなされる。すなわち、レンズブロックＢを右回転させ、検知エリア数調節部３に沿ってレンズブロックＢを開口窓１０内に引っ込め、図２に示すような状態、すなわちレンズ系Ｂ５，…Ｂ１２を開口窓１０内に入り込んだ状態にすることによって、検知エリア数を、レンズ系Ｂ１，…Ｂ４  の形成する検知エリアＣ１，…Ｃ４  の４エリアにすることができる。
【００１１】
一方、レンズブロックＢを左回転させ、検知エリア数調節部３に沿ってレンズブロックＢを開口窓１０内から突出させて、図１に示すような状態、すなわちレンズ系Ｂ５，…Ｂ１２を開口窓１０から外へ出した状態にすることによって、検知エリア数を、レンズ系Ｂ１，…Ｂ４  の形成する検知エリアＣ１，…Ｃ４  の４エリアに、レンズ系Ｂ５，…Ｂ１２の形成する検知エリアＣ５，…Ｃ１２の８エリアを加えた、１２エリアにすることができる。
【００１２】
また、この防犯センサにあっては、赤外線受光素子ＡとレンズブロックＢとが一体になって、開口窓１０に対して出没するので、各検知エリアＣ１，…Ｃ１２のそれぞれのエリア大きさは殆ど変化することがない。
【００１３】
なお、上述の防犯センサにあっては、検知エリア数調節部３を螺着構造としたが螺着構造に限定するものではなく、スライド構造などを採用することも可能である。
【００１４】
【発明の効果】
請求項１記載の発明によれば、施工後であっても必要に応じて簡単に検知エリア数を増減できる、使い勝手に優れる、検知エリア数可変方法を提供できるという効果を奏する。
【００１５】
請求項２記載の発明によれば、施工後であっても必要に応じて簡単に検知エリア数を増減できる、使い勝手に優れる、防犯センサを提供できるという効果を奏する。
【図面の簡単な説明】
【図１】本発明に係る一実施の形態の防犯センサの検知エリア数を多くした場合を示す説明図である。
【図２】本発明に係る一実施の形態の防犯センサの検知エリア数を少なくした場合を示す説明図である。
【符号の説明】
１      筐体
１０    開口窓
２      赤外線受光ブロック
３      検知エリア数調節部
Ａ      赤外線受光素子
Ｂ      レンズブロック
Ｂｎ      レンズ系（但し、ｎは１，…１２の整数）
【図１】
0003617342.tif 000002
【図２】
0003617342.tif 000003